【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
（Ａ）第１のオレフィン重合触媒と、
（Ｂ）同等の重合条件下で触媒（Ａ）によって調製されるポリマーとは化学的性質又は物理的性質が異なるポリマーを調製可能な第２のオレフィン重合触媒と、
（Ｃ）鎖シャトリング剤と、
を組み合わせて得られる混合物又は反応生成物を含む組成物であって、
触媒（Ａ）又は触媒（Ｂ）の少なくとも一方が、その場で形成されたオレフィン系ポリマー鎖のチェーンウォーキング又は再混入によって分岐ポリマーを形成することができる組成物。
【請求項２】
（Ａ）エチレンの重合によって高結晶質エチレンホモポリマーを形成することができる第１のオレフィン重合触媒と、
（Ｂ）その場で形成されたオレフィン系ポリマー鎖のチェーンウォーキング又は再混入による重合によって分岐ポリマーを形成することができる第２のオレフィン重合触媒と、
（Ｃ）鎖シャトリング剤と、
を組み合わせて得られる混合物又は反応生成物を含む組成物。
【請求項３】
高分子量マルチブロックコポリマーを調製する方法であって、エチレンを、付加重合条件において、
（Ａ）第１のオレフィン重合触媒と、
（Ｂ）同等の重合条件下で触媒（Ａ）によって調製されるポリマーとは化学的性質又は物理的性質が異なるポリマーを調製可能な第２のオレフィン重合触媒と、
（Ｃ）鎖シャトリング剤と、
を組み合わせて得られる混合物又は反応生成物を含む組成物であって、
触媒（Ａ）又は触媒（Ｂ）の少なくとも一方が、その場で形成されたオレフィン系ポリマー鎖のチェーンウォーキング又は再混入によって分岐ポリマーを形成することができる組成物と接触させることを含む方法。
【請求項４】
高分子量マルチブロックコポリマーを調製する方法であって、エチレンを、付加重合条件において、
（Ａ）エチレンの重合によって高結晶質エチレンホモポリマーを形成することができる第１のオレフィン重合触媒と、
（Ｂ）その場で形成されたオレフィン系ポリマー鎖のチェーンウォーキング又は再混入による重合によって分岐ポリマーを形成することができる第２のオレフィン重合触媒と、
（Ｃ）鎖シャトリング剤と、
を組み合わせて得られる混合物又は反応生成物を含む組成物と接触させることを含む方法。
【請求項５】
付加重合性モノマーとしての実質的にエチレンからなる反応混合物から形成されるマルチブロックコポリマーであって、分岐指数が異なる２つ以上のセグメント又はブロックを含有し、分子量分布Ｍｗ／Ｍｎが３．０未満である、マルチブロックコポリマー。
【請求項６】
付加重合性モノマーとしての実質的にエチレンからなる反応混合物から形成されるマルチブロックコポリマーであって、分岐指数が異なる２つ以上のセグメント又はブロックを含有する、マルチブロックコポリマー。
【請求項７】
分子量分布Ｍｗ／Ｍｎが３．０未満である、請求項６に記載のマルチブロックコポリマー。
【請求項８】
請求項５から７のいずれか一項に記載のマルチブロックコポリマーの官能化誘導体。
【請求項９】
請求項５から７のいずれか一項に記載のポリマーの架橋誘導体。
【請求項１０】
請求項８に記載のポリマーの架橋誘導体。
【請求項１１】
フィルム、多層フィルムの少なくとも１層、積層物品の少なくとも１層、発泡物品、繊維、不織布、射出成形物品、ブロー成形物品、回転成形物品、又は接着剤の形態の、請求項５から７のいずれか一項に記載のポリマー、あるいは請求項３又は４に記載の方法によって調製可能なポリマー、又はそれを含む組成物。
【請求項１２】
フィルム、多層フィルムの少なくとも１層、積層物品の少なくとも１層、発泡物品、繊維、不織布、射出成形物品、ブロー成形物品、回転成形物品、又は接着剤の形態の、請求項８に記載のポリマー又はそれを含む組成物。
【請求項１３】
フィルム、多層フィルムの少なくとも１層、積層物品の少なくとも１層、発泡物品、繊維、不織布、射出成形物品、ブロー成形物品、回転成形物品、又は接着剤の形態の、請求項９に記載のポリマー又はそれを含む組成物。
【請求項１４】
フィルム、多層フィルムの少なくとも１層、積層物品の少なくとも１層、発泡物品、繊維、不織布、射出成形物品、ブロー成形物品、回転成形物品、又は接着剤の形態の、請求項１０に記載のポリマー又はそれを含む組成物。
【請求項１５】
前記シャトリング剤が、各ヒドロカルビル基中に１から１２個の炭素を含有するトリヒドロカルビルアルミニウム化合物又はジヒドロカルビル亜鉛化合物である、請求項１又は２に記載の組成物。
【請求項１６】
前記シャトリング剤が、トリエチルアルミニウム又はジエチル亜鉛である、請求項１５に記載の組成物。
【請求項１７】
触媒（Ａ）が、元素周期表の４〜８族から選択される遷移金属と、１つ以上の非局在化π結合したリガンド又は多価ルイス塩基リガンドとを含む錯体を含む、請求項１又は２に記載の組成物。
【請求項１８】
触媒（Ａ）が次式：
【化１】
2007529616.tif 000001
（式中：
Ｒ11は、水素以外に１から３０個の原子を含有するアルキル、シクロアルキル、ヘテロアルキル、シクロヘテロアルキル、アリール、及び不活性に置換されたそれらの誘導体、あるいはそれらの二価の誘導体から選択され；
Ｔ1は、水素以外の１から４１個の原子の二価の架橋基であり；
Ｒ12は、ルイス塩基官能性を有するＣ5〜20ヘテロアリール基であり；
Ｍ1は４族金属であり；
Ｘ1はアニオン、中性、又はジアニオンのリガンド基であり；
ｘ’は、このようなＸ1基の数を示す０から５の数であり；
結合、場合による結合、及び電子供与性相互作用が、それぞれ線、破線、及び矢印で表されている）
に対応する、請求項１７に記載の組成物。
【請求項１９】
触媒（Ｂ）が次式：
【化２】
2007529616.tif 000002
（式中、
Ｍ2は、元素周期表の４〜１０族の金属であり；
Ｔ2は、窒素、酸素、又はリンを含有する基であり；
Ｘ2は、ハロ、ヒドロカルビル、又はヒドロカルビルオキシであり；
ｔは１又は２であり；
ｘ”は、電荷バランスが得られるように選択される数であり；
Ｔ2及びＮは架橋性リガンドによって結合している）
に対応する、請求項１８に記載の組成物。
【請求項２０】
連続方法である、請求項３又は４に記載の方法。
【請求項２１】
溶液方法である、請求項２０に記載の方法。
【請求項２２】
反応器中のエチレン転化率が少なくとも９５％である、請求項２１に記載の方法。
【請求項２３】
触媒（Ａ）が次式：
【化３】
2007529616.tif 000003
（式中：
Ｒ11は、水素以外に１から３０個の原子を含有するアルキル、シクロアルキル、ヘテロアルキル、シクロヘテロアルキル、アリール、及び不活性に置換されたそれらの誘導体、あるいはそれらの二価の誘導体から選択され；
Ｔ1は、水素以外に１から４１個の原子の二価の架橋基であり；
Ｒ12は、ルイス塩基官能性を有するＣ5〜20ヘテロアリール基、特にピリジン−２−イル基又は置換ピリジン−２−イル基、あるいはそれらの二価の誘導体であり；
Ｍ1は４族金属であり；
Ｘ1は、アニオン、中性、又はジアニオンのリガンド基であり；
ｘ’は、このようなＸ1基の数を示す０から５の数であり；
結合、場合による結合、及び電子供与性相互作用が、それぞれ線、破線、及び矢印で表されている）
に対応する、請求項２０に記載の方法。
【請求項２４】
触媒（Ｂ）が次式：
【化４】
2007529616.tif 000004
（式中、
Ｍ2は、元素周期表の４〜１０族の金属であり；
Ｔ2は、窒素、酸素、又はリンを含有する基であり；
Ｘ2は、ハロ、ヒドロカルビル、又はヒドロカルビルオキシであり；
ｔは、１又は２であり；
ｘ”は、電荷のバランスのために選択される数であり；
Ｔ2及びＮは架橋性リガンドによって結合している）
に対応する、請求項２３に記載の方法。
【請求項２５】
鎖シャトリング剤の、１種以上の触媒及び又はモノマーとの比が、１つ以上の化学的性質又は物理的性質が異なるポリマーを生成するために変更される、請求項３又は４に記載の方法。
【請求項２６】
（１）有機又は無機のポリマーと、（２）請求項５から７のいずれか一項に記載のポリマー、あるいは請求項３又は４に記載の方法によって調製可能なポリマーとを含む、ポリマー混合物。
【請求項２７】
成分（１）が有機熱可塑性ポリマーである、請求項２６に記載のポリマー混合物。
【請求項２８】
成分（１）が、エチレン又はプロピレンのホモポリマー、あるいはエチレンとＣ3〜8α−オレフィンとのコポリマーである、請求項２７に記載のポリマー混合物。
【請求項２９】
成分（２）がエラストマー性エチレンポリマーである、請求項２７に記載のポリマー混合物。